(57)【要約】【課題】構成を複雑化することなく、１つのリモートコントローラで複数の電子機器の操作を行えるようにする。【解決手段】受信部１０１は、リモートコントローラのコマンド信号を受信する。受信データ解析部１０２は、受信したコマンド信号が第１の機器を操作するための第１のフォーマットのコマンド信号か第２の機器を操作するための第２のフォーマットのコマンド信号かを判定する。コマンド実行部１０３は、受信したコマンド信号が第１のフォーマットのコマンド信号か第２のフォーマットのコマンド信号かに基いてコードを解析し、解析したコードに応じた処理を実行する。【選択図】図１４
2019146046.tif 000002
【特許請求の範囲】
【請求項１】
リモートコントローラのコマンド信号を受信する受信部と、
受信したコマンド信号が第１の機器を操作するための第１のフォーマットのコマンド信号か第２の機器を操作するための第２のフォーマットのコマンド信号かを判定する受信データ解析部と、
受信したコマンド信号が前記第１のフォーマットのコマンド信号か前記第２のフォーマットのコマンド信号かに基いてコードを解析し、当該解析したコードに応じた処理を実行するコマンド実行部と
を備える電子機器。
【請求項２】
前記受信データ解析部は、受信したコマンド信号のリーダーコードから、当該受信したコマンド信号が第１のフォーマットのコマンド信号か第２のフォーマットのコマンド信号かを判定する請求項１に記載の電子機器。
【請求項３】
更に、受信したコマンド信号が前記第１のフォーマットのコマンド信号なら前記第１のフォーマットに基づいた画面を生成し、受信したコマンド信号が前記第２のフォーマットのコマンド信号なら前記第２のフォーマットに基づいた画面を生成する画面生成部を備える請求項１又は２に記載の電子機器。
【請求項４】
前記画面生成部は、前記第１のフォーマットのコマンド信号の項目と、前記第２のフォーマットのコマンド信号の項目とを対応関係を維持して表示を行う請求項１又は２に記載の電子機器。
【請求項５】
前記第１のフォーマットのコマンド信号はプロジェクタのコマンド信号であり、前記第２のフォーマットのコマンド信号はディスプレイのコマンド信号である請求項１乃至３の何れかに記載の電子機器。
【請求項６】
コマンド信号を受信する工程と、
受信したコマンド信号が第１の機器を操作するための第１のフォーマットのコマンド信号か第２の機器を操作するための第２のフォーマットのコマンド信号かを判定する工程と、
受信したコマンド信号が前記第１のフォーマットのコマンド信号か前記第２のフォーマットのコマンド信号かに基づいてコードを解析し、当該解析したコードに応じた処理を実行する工程と
を含む電子機器の操作方法。
【請求項７】
第１の機器及び前記第１の機器を操作するための第１のフォーマットのコマンド信号を送信する第１のリモートコントローラからなる第１の電子機器と、第２の機器及び前記第２の機器を操作するための第２のフォーマットのコマンド信号を送信する第２のリモートコントローラからなる第２の電子機器とからなる電子機器システムであって、
前記第１及び第２の機器は、
コマンド信号を受信する受信部と、
受信したコマンド信号が第１の機器を操作するための第１のフォーマットのコマンド信号か第２の機器を操作するための第２のフォーマットのコマンド信号かを判定する受信データ解析部と、
受信したコマンド信号が前記第１のフォーマットのコマンド信号か前記第２のフォーマットのコマンド信号かに基いてコードを解析し、当該解析したコードに応じた処理を実行するコマンド実行部と
を備える電子機器システム。
【発明の詳細な説明】
【技術分野】
【０００１】
本発明は、電子機器、電子機器の操作方法、及び電子機器システムに関する。
【背景技術】
【０００２】
画像表示装置には、大別して、投写型表示装置（以下、プロジェクタと称する）と、パネル内蔵型表示装置（以下、ディスプレイと称する）とがある。プロジェクタとディスプレイには、それぞれ、別々のリモートコントローラ（以下、リモコンと称する）が用意されており、操作者は、プロジェクタを操作する場合にはプロジェクタ用のリモコン（以下、プロジェクタリモコンと称する）を使用し、ディスプレイを操作する場合には、ディスプレイ用のリモコン（以下、ディスプレイリモコンと称する）を使用している。
【０００３】
一般的に、プロジェクタとディスプレイとでは用途が異なっており、同時に使用されることは少ない。このような環境下では、プロジェクタとディスプレイとを１つのリモコンで操作する必要性は生じない。しかしながら、昨今のデジタルサイネージの発展に伴い、プロジェクタとディスプレイとを同時に使用するシーンなどが見受けられることが多くなってきている。このようなシーンでは、リモコンによる操作が発生した場合に、プロジェクタとディスプレイとの双方を操作できるリモコンが要望される。
【０００４】
特許文献１には、複数の電子機器を操作できるようなリモコンが開示されている。プロジェクタとディスプレイとを同時に使用する場合には、特許文献１に示されるようなリモコンを用いることが考えられる。
【先行技術文献】
【特許文献】
【０００５】
【特許文献１】特開２００７−２５９３８１号公報
【発明の概要】
【発明が解決しようとする課題】
【０００６】
プロジェクタリモコンとディスプレイリモコンとでは、コマンドの周期やフォーマットが異なっている。したがって、１つのリモコンでプロジェクタとディスプレイとを操作できるようにするためには、周期やフォーマットの異なるコマンド信号を送信できるようにする必要がある。また、特許文献１に示されるようなリモコンでは、複数の電子機器を操作できるように、各デバイスで赤外線の送受信部を配置し、さらにサーバを設置することでデバイスの違いを認識する仕組みとなっており、構成が複雑になる。
【０００７】
上述の課題を鑑み、本発明は、構成を複雑化することなく、１つのリモコンで複数の種類の電子機器の操作を行えるようにした電子機器、電子機器の操作方法、及び電子機器システムを提供することを目的とする。
【課題を解決するための手段】
【０００８】
上述の課題を解決するために、本発明の一態様に係る電子機器は、リモートコントローラのコマンド信号を受信する受信部と、受信したコマンド信号が第１の機器を操作するための第１のフォーマットのコマンド信号か第２の機器を操作するための第２のフォーマットのコマンド信号かを判定する受信データ解析部と、受信したコマンド信号が前記第１のフォーマットのコマンド信号か前記第２のフォーマットのコマンド信号かに基いてコードを解析し、当該解析したコードに応じた処理を実行するコマンド実行部とを備える。
【０００９】
本発明の一態様に係る電子機器の操作方法は、コマンド信号を受信する工程と、受信したコマンド信号が第１の機器を操作するための第１のフォーマットのコマンド信号か第２の機器を操作するための第２のフォーマットのコマンド信号かを判定する工程と、受信したコマンド信号が前記第１のフォーマットのコマンド信号か前記第２のフォーマットのコマンド信号かに基いてコードを解析し、当該解析したコードに応じた処理を実行する工程とを含む。
【００１０】
本発明の一態様に係る電子機器システムは、第１の機器及び前記第１の機器を操作するための第１のフォーマットのコマンド信号を送信する第１のリモートコントローラからなる第１の電子機器と、第２の機器及び前記第２の機器を操作するための第２のフォーマットのコマンド信号を送信する第２のリモートコントローラからなる第２の電子機器とからなる電子機器システムであって、前記第１及び第２の機器は、コマンド信号を受信する受信部と、受信したコマンド信号が第１の機器を操作するための第１のフォーマットのコマンド信号か第２の機器を操作するための第２のフォーマットのコマンド信号かを判定する受信データ解析部と、受信したコマンド信号が前記第１のフォーマットのコマンド信号か前記第２のフォーマットのコマンド信号かに基いてコードを解析し、当該解析したコードに応じた処理を実行するコマンド実行部とを備える。
【発明の効果】
【００１１】
本発明によれば、受信したコマンド信号が第１の機器を操作するための第１のフォーマットのコマンド信号か第２の機器を操作するための第２のフォーマットのコマンド信号かを判定し、受信したコマンド信号が前記第１のフォーマットのコマンド信号か前記第２のフォーマットのコマンド信号かに基いて処理を実行している。これにより、構成を複雑化することなく、第１の電子機器と第２の電子機器とからなるシステムを１つのリモートコントローラで同時に操作できる。
【図面の簡単な説明】
【００１２】
【図１】本発明の第１の実施形態に係る映像表示システムの構成の説明図である。
【図２】本発明の第１の実施形態に係る映像表示システムにおけるプロジェクタの構成を示すブロック図である。
【図３】本発明の第１の実施形態に係る映像表示システムにおけるディスプレイの構成を示すブロック図である。
【図４】プロジェクタリモコンのコマンド信号のフォーマットの一例の波形図である。
【図５】プロジェクタリモコンでプロジェクタを操作したときのＯＳＤ画面の説明図である。
【図６】プロジェクタリモコンでプロジェクタを操作したときの設定項目の説明図である。
【図７】ディスプレイリモコンのコマンド信号のフォーマットの一例の説明図である。
【図８】ディスプレイリモコンでディスプレイを操作したときのＯＳＤ画面の説明図である。
【図９】ディスプレイリモコンでディスプレイを操作したときの調整項目の説明図である。
【図１０】本発明の第１の実施形態に係る映像表示システムにおけるリモコン信号の処理プロセスの説明図である。
【図１１】プロジェクタでのリモコン信号の処理プロセスを示すフローチャートである。
【図１２】プロジェクタリモコンでプロジェクタを操作したときのＯＳＤ画面とディスプレイを操作したときのＯＳＤ画面との比較を示す説明図である。
【図１３】ディスプレイリモコンでディスプレイを操作したときのＯＳＤ画面とプロジェクタを操作したときのＯＳＤ画面とを比較を示す説明図である。
【図１４】本発明による電子機器の基本構成を示す概略ブロック図である。
【発明を実施するための形態】
【００１３】
以下、本発明の実施の形態について図面を参照しながら説明する。図１は、本発明の第１の実施形態に係る映像表示システム１の構成の説明図である。
【００１４】
図１に示すように、映像表示システム１は、映像供給装置１０と、プロジェクタ（第１の機器）２０と、ディスプレイ（第２の機器）３０とから構成される。映像供給装置１０は、プロジェクタ２０及びディスプレイ３０に、映像信号を供給する。映像供給装置１０としては、ＨＤＤ（Hard Disk Drive）レコーダ、ＤＶＤ（Digital Versatile Disc）プレーヤ等、映像信号を外部に送信できる機器であれば、何れを用いても良い。また、映像供給装置１０としては、ＰＣ（Personal Computer）を用いても良い。
【００１５】
プロジェクタ２０は、映像供給装置１０からの映像をスクリーン２１に表示する。プロジェクタ２０としては、例えば液晶プロジェクタが用いられる。プロジェクタ２０を操作するために、プロジェクタリモコン（第１のリモートコントローラ）２５が用意されている。
【００１６】
ディスプレイ３０は、映像供給装置１０からの映像を表示部３１に表示する。ディスプレイ３０としては、例えば液晶ディスプレイが用いられる。ディスプレイ３０を操作するために、ディスプレイリモコン（第２のリモートコントローラ）３５が用意されている。
【００１７】
映像表示システム１は、例えばディジタルサイネージに使用される。すなわち、プロジェクタ２０のスクリーン２１は、遠くの人からも見易いような位置に設置される。ディスプレイ３０は、会場に集った人から見易い位置に設置される。ディスプレイ３０及びプロジェクタ２０には、映像供給装置１０から、例えば広告画像の映像信号が供給される。これにより、遠くの人からも会場に集った人からも、見易い位置に広告画像が表示されることになり、広告効果の増大が期待できる。
【００１８】
このようにディスプレイ３０とプロジェクタ２０とが共存して使用されるシステムでは、ディスプレイ３０とプロジェクタ２０とを１つのリモコンで操作できることが要望される。そこで、本実施形態では、プロジェクタ２０には、プロジェクタリモコン２５だけでなく、ディスプレイリモコン３５でも操作できる機能が設けられる。また、ディスプレイ３０には、ディスプレイリモコン３５だけでなく、プロジェクタリモコン２５でも操作できる機能が設けられる。
【００１９】
図２は、本発明の第１の実施形態に係る映像表示システム１におけるプロジェクタ２０の構成を示すブロック図である。図２に示すように、プロジェクタ２０は、入力処理部２０１と、映像信号処理部２０２と、投射部２０３と、光源２０４と、制御部２０５と、受信部２０６と、ＯＳＤ表示部２０７とを備えている。
【００２０】
入力処理部２０１は、制御部２０５の制御の基に、入力映像信号を選択し、選択した映像信号を映像信号処理部２０２に出力する。
【００２１】
映像信号処理部２０２は、入力処理部２０１からの映像信号に対して、制御部２０５の制御の基に、輝度補正、色補正、解像度変換等、種々の映像処理を行う。映像信号処理部２０２の出力は、加算部２０８を介して、投射部２０３に供給される。
【００２２】
投射部２０３は、プリズムブロック、投射レンズ等からなる。投射部２０３に対して、光源２０４からの光が投射される。投射部２０３からの投射光により、スクリーン２１には、映像信号処理部２０２からの映像信号に基づく画像が表示される。
【００２３】
制御部２０５は、ＣＰＵ（Central Processing Unit）等からなり、プロジェクタ２０の全体制御を行っている。受信部２０６は、リモコン（プロジェクタリモコン２５又はディスプレイリモコン３５）からの赤外線のコマンド信号を受光し、そのコマンド信号を制御部２０５に供給する。制御部２０５は、このコマンド信号に基づいて、各種の動作設定を行う。
【００２４】
ＯＳＤ（On Screen Display）表示部２０７は、制御部２０５の制御の基に、ＯＳＤ画面を生成する。ＯＳＤ表示部２０７で生成されたＯＳＤ画面の映像は、加算部２０８で、映像信号処理部２０２からの映像に重畳されて、投射部２０３に送られ、スクリーン２１に表示される。
【００２５】
図３は、本発明の第１の実施形態に係る映像表示システム１におけるディスプレイ３０の構成を示すブロック図である。図３に示すように、ディスプレイ３０は、入力処理部３０１と、映像信号処理部３０２と、表示部３１と、バックライト３０４と、制御部３０５と、受信部３０６と、ＯＳＤ表示部３０７とを備えている。
【００２６】
入力処理部３０１は、制御部３０５の制御の基に、入力映像信号を選択し、選択した映像信号を映像信号処理部３０２に出力する。
【００２７】
映像信号処理部３０２は、入力処理部３０１からの映像信号に対して、制御部３０５の制御の基に、輝度補正、色補正、解像度変換等、種々の映像処理を行う。映像信号処理部３０２の出力は、加算部３０８を介して、表示部３１に供給される。
【００２８】
表示部３１は、映像信号処理部３０２からの映像信号に基づく画像を表示する。表示部３１としては、例えば液晶パネルが用いられる。表示部３１の背面には、バックライト３０４が配設される。バックライト３０４は、制御部３０５の制御の基に、表示部３１に対して透過光を照射する。
【００２９】
制御部３０５は、ＣＰＵ(Central Processing Unit)等からなり、ディスプレイ３０の全体制御を行っている。受信部３０６は、リモコン（ディスプレイリモコン３５又はプロジェクタリモコン２５）からの赤外線のコマンド信号を受光し、そのコマンド信号を制御部３０５に供給する。制御部３０５は、このコマンド信号に基づいて、各種の動作設定を行う。
【００３０】
ＯＳＤ表示部３０７は、制御部３０５の制御の基に、ＯＳＤ画面を生成する。ＯＳＤ表示部３０７で生成されたＯＳＤ画面の映像は、加算部３０８で、映像信号処理部３０２からの映像に重畳され、表示部３１に表示される。
【００３１】
次に、本発明の第１の実施形態に係る映像表示システム１に用いられるリモコンのコマンド信号のフォーマットについて説明する。本実施形態では、プロジェクタリモコン２５とディスプレイリモコン３５とが用いられる。
【００３２】
図４は、プロジェクタリモコンのコマンド信号のフォーマット（第１のフォーマット）の一例の説明図である。図４（Ａ）に示すように、プロジェクタリモコン２５のコマンド信号は、リーダーコードと、カスタムコードと、データコードとから構成される。プロジェクタリモコン２５のコマンド信号の周期は、１０８ｍ秒となっている。
【００３３】
リーダーコードは、リモコンを受信したことを判定するためのコードである。リーダーコードは、カスタムコードとデータコードを区別するために、最初に送信される。図４（Ｂ）に示すように、リーダーコードのパターンは、９ｍ秒のＨレベルの期間と、４．５ｍ秒のＬレベルの期間とからなる。
【００３４】
カスタムコードは、各製造元のオリジナルなコードである。カスタムコードは、２バイトで、プロジェクタの場合、「１８ｈ  Ｆ７ｈ（１６進数）」の固定のパターンとされている。
【００３５】
データコードは、リモコンのデータを示すコードである。データコードは、８ビットのコードと、それを反転した８ビットのコードとの２バイトからなる。図４（Ｃ）に示すように、データパルスの「０」と「１」は、ビットの長さで区別される。プロジェクタでＯＳＤを表示するために押されるボタンはＭＥＮＵボタンがある。図４（Ｄ）及び図４（Ｅ）に示すように、ＭＥＮＵボタンが押されると、ＭＥＮＵボタンのコードである「４６ｈ（１６進数）」と、これを反転したデータ「Ｂ９ｈ（１６進数）」が送信される。
【００３６】
リピーターコードは、リモコン使用時に同一ボタンが押し続けられていることを示すコードである。図４（Ｆ）に示すように、リピーターコードの場合、９ｍ秒のＨレベルの期間と、２．２５ｍ秒のＬレベルの期間の後に、０．５６ｍ秒のストップビットが続く。リモコンの同一ボタンを押し続けると、キーが押されている間、リピーターコードの送信が続く。リピーターコードは、Ｌレベルの期間の違いとストップビットから、リーダーコードと区別される。
【００３７】
図５は、プロジェクタリモコン２５でプロジェクタ２０を操作したときのＯＳＤ画面の説明図である。図５に示すように、ＯＳＤ画面２１０には、メインメニュータグ２１１として、入力端子、調整、表示、セットアップ、情報の各タグが表示される。この例は、メインメニュータグ２１１で調整タグを選択して表示させたものである。サブメニュータグ２１２として、「映像」、「画像設定」、「ビデオ」、「３Ｄ設定」、「レンズメモリー」の各タグが表示される。この例は、サブメニュータグ２１２で映像タグを選択して表示させたものである。また、ＯＳＤ画面２１０には、調整項目２１３と、調整バー２１４と、調整値２１５とが表示される。調整項目２１３としては、「モード」、「プリセット」、「詳細設定」、「コントラスト」、「明るさ」、「シャープネス」、「カラー」、「色相」、「リセット」とがある。
【００３８】
図６は、プロジェクタリモコン２５でプロジェクタ２０を操作したときの設定項目の説明図である。図５に示したように、プロジェクタ２０のＯＳＤ画面には、調整項目として、「モード」、「プリセット」、「詳細設定」、「コントラスト」、「明るさ」、「シャープネス」、「カラー」、「色相」、「リセット」が表示される。図６に示すように、詳細設定の項目は、階層構造となっている。すなわち、詳細設定には、「全般」、「ホワイトバランス」、「色補正」の項目からなる。全般の設定項目は、「参照」、「ガンマ補正」、「スクリーンサイズ」、「色温度」、「ダイナミックコントラスト」、「ライト調整」の項目からなる。各調整項目の選択項目は、図６に示すようになっている。
【００３９】
図７は、ディスプレイリモコン３５のコマンド信号のフォーマット（第２のフォーマット）の一例の説明図である。図７（Ａ）に示すように、ディスプレイリモコン３５のコマンド信号は、リーダーコードと、カスタムコードと、データコードとから構成される。ディスプレイリモコン３５のコマンド信号の周期は、６０ｍ秒となっている。
【００４０】
リーダーコードは、リモコンを受信したことを判定するためのコードである。リーダーコードは、カスタムコードとデータコードを区別するために、最初に送信される。図７（Ｂ）に示すように、リーダーコードのパターンは、８ｍ秒のＨレベルの期間と、４ｍ秒のＬレベルの期間とからなる。
【００４１】
カスタムコードは、各製造元のオリジナルなコードである。カスタムコードは、１バイトで表される。ディスプレイのカスタムコードは「Ｆ４ｈ（１６進数）」固定のパターンとされている。
【００４２】
データコードは、リモコンのデータを示すコードである。データコードは、８ビットのコードである。図７（Ｃ）に示すように、データパルスの「０」と「１」は、ビットの長さで区別される。ディスプレイでＯＳＤを表示するために押されるボタンはＭＥＮＵボタンがある。図７（Ｄ）に示すように、このＭＥＮＵボタンが押されると「２０ｈ（１６進数）」が送信される。
【００４３】
図８は、ディスプレイリモコン３５でディスプレイ３０を操作したときのＯＳＤ画面の説明図である。図８に示すように、ＯＳＤ画面３１０には、メインメニューアイコン３１１、サブメニュー３１２と、設定領域３１３とが表示される。この例では、メインメニューアイコン３１１で、「映像設定」を選択している。この場合には、サブメニュー３１２として、「バックライト」、「コントラスト」、「シャープネス」、「明るさ」、「色相」、「色のこさ」、「色温度」、「カラーコントロール」、「ガンマ補正」、「動画設定」、「ピクチャーモード」、「リセット」の各設定項目が表示される。設定領域３１３には、設定状態を示すコントロールバーとその設定値が表示される。
【００４４】
図９は、ディスプレイリモコン３５でディスプレイ３０を操作したときの調整項目の説明図である。ディスプレイ３０のＯＳＤ画面には、図８に示したように、サブメニュー３１２として、「バックライト」、「コントラスト」、「シャープネス」、「明るさ」、「色相」、「色のこさ」、「色温度」、「カラーコントロール」、「ガンマ補正」、「動画設定」、「ピクチャーモード」、「リセット」が表示される。各調整項目の選択項目は、図９に示すようになっている。
【００４５】
前述したように、本発明の第１の実施形態に係る映像表示システム１では、プロジェクタ２０及びディスプレイ３０に、プロジェクタリモコン２５でもディスプレイリモコン３５でも操作できる機能を設けるようにしている。すなわち、プロジェクタ２０は、プロジェクタリモコン２５からのコマンド信号を受信すると、コマンド信号に対応するＯＳＤ画面を表示して、各種の設定を行うとともに、ディスプレイリモコン３５からのコマンド信号を受信した場合にも、コマンド信号に対応するＯＳＤ画面を表示して、各種の設定を行える。また、ディスプレイ３０は、ディスプレイリモコン３５からのコマンド信号を受信すると、コマンド信号に対応するＯＳＤ画面を表示して、各種の設定を行うとともに、プロジェクタリモコン２５からのコマンド信号を受信した場合にも、コマンド信号に対応するＯＳＤ画面を表示して、各種の設定を行える。このような機能について、以下に説明する。
【００４６】
図１０は、本発明の第１の実施形態に係る映像表示システム１におけるリモコン信号の処理プロセスの説明図である。図１０に示すように、プロジェクタ２０の制御部２０５は、受信データ解析部２５１と、コマンド実行部２５２と、ＯＳＤ制御部２５３を実現する。ＯＳＤ制御部２５３は、プロジェクタＯＳＤ生成部２６１と、ディスプレイＯＳＤ生成部２６２とからなる。
【００４７】
受信部２０６は、プロジェクタリモコン２５又はディスプレイリモコン３５からの赤外線信号を受光し、その受信信号を受信データ解析部２５１に送る。受信データ解析部２５１は、受信部２０６の受信信号から、リモコン入力があったか否かを判定する。そして、リモコン入力が検出されると、受信データ解析部２５１は、プロジェクタリモコン２５のコマンド信号か、ディスプレイリモコン３５のコマンド信号かを判定する。
【００４８】
すなわち、プロジェクタリモコン２５の入力があれば、受信データ解析部２５１は、リーダーコードを検出する。図４（Ｂ）に示したように、プロジェクタリモコン２５のコマンド信号なら、リーダーコードとして、９ｍ秒のＨレベルの期間と４．５ｍ秒のＬレベルの期間のパターンの信号が検出される。図７（Ｂ）に示したように、ディスプレイリモコン３５のコマンド信号なら、リーダーコードとして、８ｍ秒のＨレベルの期間と４ｍ秒のＬレベルの期間とからなるパターンの信号が検出される。受信データ解析部２５１は、受信したリーダーコードのパターンから、受信したコマンド信号がプロジェクタリモコン２５のリーダーコードかディスプレイリモコン３５のリーダーコードかを解析する。
【００４９】
受信データ解析部２５１は、受信したコマンド信号がプロジェクタリモコン２５のコマンド信号かディスプレイリモコン３５のコマンド信号かに応じて、コマンド信号を解析し、解析したコマンド信号をコマンド実行部２５２に送る。
【００５０】
コマンド実行部２５２は、受信したコマンド信号がプロジェクタリモコン２５のコマンド信号なら、図４（Ｃ）から図４（Ｆ）に示したデータコードを解析して、このデータコードに応じた処理を実行する。受信したコマンド信号がディスプレイリモコン３５のコマンド信号なら、コマンド実行部２５２は、図７（Ｃ）から図７（Ｄ）に示したデータコードを解析して、このデータコードに応じた処理を実行する。
【００５１】
また、受信データ解析部２５１は、解析したコマンド信号をＯＳＤ制御部２５３に送る。解析したコマンド信号がプロジェクタリモコン２５のコマンド信号の場合、ＯＳＤ制御部２５３は、プロジェクタＯＳＤ生成部２６１で生成されたＯＳＤ信号をＯＳＤ表示部２０７に送る。解析したコマンド信号がディスプレイリモコン３５のコマンド信号の場合、ＯＳＤ制御部２５３は、ディスプレイＯＳＤ生成部２６２で生成されたＯＳＤ信号をＯＳＤ表示部２０７に送る。
【００５２】
図１１は、上述のプロジェクタ２０でのリモコン信号の処理プロセスを示すフローチャートである。
（ステップＳ１０１）制御部２０５は、電源が入力されてからシーケンスを開始する。
【００５３】
（ステップＳ１０２）制御部２０５は、受信部２０６の受信信号から、リモコン入力の判定を行う。リモコン入力があったら（ステップＳ１０２：Ｙｅｓ）、処理をステップＳ１０３に進める。
【００５４】
（ステップＳ１０３）制御部２０５は、リーダーコードを検出して、処理をステップＳ１０４に進める。
【００５５】
（ステップＳ１０４）制御部２０５は、受信したリーダーコードがプロジェクタリモコン２５のリーダーコードか否かを判定する。受信したリーダーコードがプロジェクタリモコン２５のリーダーコードなら（ステップＳ１０４：Ｙｅｓ）、処理をステップＳ１０５に進め、受信したリーダーコードがプロジェクタリモコン２５のリーダーコードでなければ（ステップＳ１０４：Ｎｏ）、処理をステップＳ１０８に進める。
【００５６】
（ステップＳ１０５）制御部２０５は、受信したカスタムコードがプロジェクタのカスタムコードか否かを判定する。受信したカスタムコードがプロジェクタのカスタムコードなら（ステップＳ１０５：Ｙｅｓ）、処理をステップＳ１０６に進め、受信したカスタムコードがプロジェクタのカスタムコードでなければ（ステップＳ１０５：Ｎｏ）、処理をステップＳ１０２にリターンする。
【００５７】
（ステップＳ１０６）制御部２０５は、受信したプロジェクタのコードがデータコードか否かを判定する。受信したプロジェクタのコードがデータコードなら（ステップＳ１０６：Ｙｅｓ）、処理をステップＳ１０７に進め、受信したプロジェクタのコードがデータコードでなければ（ステップＳ１０６：Ｎｏ）、処理をステップＳ１０２にリターンする。
【００５８】
（ステップＳ１０７）制御部２０５は、プロジェクタリモコンのデータコードに対応する機能の処理を実行して、処理を終了する。
【００５９】
（ステップＳ１０８）ステップＳ１０４で、受信したリーダーコードがプロジェクタリモコン２５のリーダーコードでないと判定されると（ステップＳ１０４：Ｎｏ）、制御部２０５は、受信したリーダーコードがディスプレイリモコン３５のリーダーコードか否かを判定する。受信したリーダーコードがディスプレイリモコン３５のリーダーコードなら（ステップＳ１０８：Ｙｅｓ）、処理をステップＳ１０９に進め、受信したリーダーコードがディスプレイリモコン３５のリーダーコードでなければ（ステップＳ１０８：Ｎｏ）、処理をステップＳ１０２にリターンする。
【００６０】
（ステップＳ１０９）制御部２０５は、受信したカスタムコードがディスプレイのカスタムコードか否かを判定する。受信したカスタムコードがディスプレイのコードなら（ステップＳ１０９：Ｙｅｓ）、処理をステップＳ１１０に進め、受信したカスタムコードがディスプレイのコードでなければ（ステップＳ１０９：Ｎｏ）、処理をステップＳ１０２にリターンする。
【００６１】
（ステップＳ１１０）制御部２０５は、受信したディスプレイのコードがデータコードか否かを判定する。受信したディスプレイのコードがデータコードなら（ステップＳ１１０：Ｙｅｓ）、処理をステップＳ１１１に進め、受信したディスプレイのコードがデータコードでなければ（ステップＳ１１０：Ｎｏ）、処理をステップＳ１０２にリターンする。
【００６２】
（ステップＳ１１１）制御部２０５は、ディスプレイリモコンのデータコードに対応する機能の処理を実行する。
【００６３】
このように、プロジェクタ２０には、プロジェクタリモコン２５でもディスプレイリモコン３５でも操作できる機能が設けられている。プロジェクタ２０と同様に、ディスプレイ３０にも、ディスプレイリモコン３５でもプロジェクタリモコン２５でも操作できる機能が設けられている。すなわち、図１０に示すように、ディスプレイ３０の制御部３０５は、受信データ解析部３５１と、コマンド実行部３５２と、ＯＳＤ制御部３５３を実現する。ＯＳＤ制御部３５３は、ディスプレイＯＳＤ生成部３６１とプロジェクタＯＳＤ生成部３６２とからなる。
【００６４】
受信部３０６は、ディスプレイリモコン３５又はプロジェクタリモコン２５からの赤外線信号を受光し、その受信信号を受信データ解析部３５１に送る。受信データ解析部３５１は、受信部３０６の受信信号から、リモコン入力があったか否かを判定する。そして、リモコン入力が検出されると、受信データ解析部３５１は、リーダーコードからディスプレイリモコン３５のコマンド信号かプロジェクタリモコン２５のコマンド信号かを判定する。受信データ解析部３５１は、解析したコマンド信号をコマンド実行部３５２に送る。
【００６５】
コマンド実行部３５２は、受信したコマンド信号がディスプレイリモコン３５のコマンド信号なら、図７（Ｃ）から図７（Ｄ）に示したデータコードを解析して、このデータコードに応じた処理を実行する。受信したコマンド信号がプロジェクタリモコン２５のコマンド信号なら、コマンド実行部３５２は、図４（Ｃ）から図４（Ｆ）に示したデータコードを解析して、このデータコードに応じた処理を実行する。
【００６６】
また、受信データ解析部３５１は、解析したコマンド信号をＯＳＤ制御部３５３に送る。解析したコマンド信号がディスプレイリモコン３５のコマンド信号の場合、ＯＳＤ制御部３５３は、ディスプレイＯＳＤ生成部３６１で生成されたＯＳＤ信号をＯＳＤ表示部３０７に送る。解析したコマンド信号がプロジェクタリモコン２５のコマンド信号の場合、ＯＳＤ制御部３５３は、プロジェクタＯＳＤ生成部３６２で生成されたＯＳＤ信号をＯＳＤ表示部３０７に送る。
【００６７】
なお、ディスプレイ３０でのリモコン信号の処理のプロセスは、図１１にフローチャートで示した処理と同様である。
【００６８】
このように、本実施形態では、プロジェクタ２０及びディスプレイ３０は、受信したリーダーコードのパターンから、受信したコマンド信号がプロジェクタリモコン２５のリーダーコードかディスプレイリモコン３５のリーダーコードかを解析し、これに応じて、処理を実行している。これにより、１つのリモコン（プロジェクタリモコン２５又はディスプレイリモコン３５）で、プロジェクタ２０とディスプレイ３０とを同時に操作できる。
【００６９】
次に、ディスプレイのコマンドとプロジェクタのコマンドとの対応関係について説明する。本実施形態では、プロジェクタ２０のコマンドの表示項目とディスプレイ３０のコマンドとが対応するように表示項目を配置している。すなわち、プロジェクタ２０とディスプレイ３０とで、関連する名称、調整項目、選択項目を維持して操作できるように、ディスプレイのコマンドとプロジェクタのコマンドとの対応関係を設定している。
【００７０】
図１２は、プロジェクタリモコン２５で、プロジェクタ２０を操作したときのＯＳＤ画面と、ディスプレイ３０を操作したときのＯＳＤ画面とを比較したものである。図１２（Ａ）は、プロジェクタリモコン２５でプロジェクタ２０を操作したときのＯＳＤ画面であり、図１２（Ｂ）は、プロジェクタリモコン２５でディスプレイ３０を操作したときのＯＳＤ画面である。図１２（Ａ）と図１２（Ｂ）とを比較すれば分かるように、プロジェクタリモコン２５を使ったときには、プロジェクタ２０を操作するときも、ディスプレイ３０を操作するときも、同様の操作が行えるように、項目を維持して操作できるようにＯＳＤ画面が表示される。
【００７１】
図１３は、ディスプレイリモコン３５で、ディスプレイ３０を操作したときのＯＳＤ画面と、プロジェクタ２０を操作したときのＯＳＤ画面とを比較したものである。図１３（Ａ）は、ディスプレイリモコン３５でディスプレイ３０を操作したときのＯＳＤ画面であり、図１３（Ｂ）は、ディスプレイリモコン３５でプロジェクタ２０を操作したときのＯＳＤ画面である。図１３（Ａ）と図１３（Ｂ）とを比較すれば分かるように、ディスプレイリモコン３５を使ったときには、ディスプレイ３０を操作するときも、プロジェクタ２０を操作するときも、同様の操作が行えるように、ＯＳＤ画面が表示される。
【００７２】
つまり、図６に示すプロジェクタ２０の調整項目と、図９に示すディスプレイ３０の調整項目とを比較すると、名称と機能が共に同一のものと、名称は異なるが機能が同一のものと、機能及び名称が共に異なるものがある。また、名称や機能について、完全に一致はしていなくても、対応している場合がある。また、名称や機能は一致或いは対応しているが、選択項目が異なる場合がある。
【００７３】
図６に示すプロジェクタ２０の調整項目と、図９に示すディスプレイ３０の調整項目とを比較すると、プロジェクタ２０の「ライト調整」（図６）と、ディスプレイ３０の「バックライト」（図９）は、名称は異なるが、機能が同一である。このことから、図１２（Ａ）に示すように、プロジェクタリモコン２５でプロジェクタ２０を操作したときのＯＳＤ画面では、「ライト調整」としている調整項目は、図１２（Ｂ）に示すように、プロジェクタリモコン２５でディスプレイ３０を操作したときのＯＳＤ画面では、「バックライト」としている。また、図１３（Ａ）に示すように、ディスプレイリモコン３５でディスプレイ３０を操作したときのＯＳＤ画面では「バックライト」としている調整項目は、図１３（Ｂ）に示すように、ディスプレイリモコン３５でプロジェクタ２０を操作したときのＯＳＤ画面では、「ライト調整」としている。
【００７４】
プロジェクタ２０の「コントラスト」、「明るさ」、「シャープネス」、「色相」（図６）の調整項目は、ディスプレイ３０の「コントラスト」、「明るさ」、「シャープネス」、「色相」（図９）と、機能、名称ともに同一である。このことから、図１２（Ａ）に示すように、プロジェクタリモコン２５でプロジェクタ２０を操作したときのＯＳＤ画面で、「コントラスト」、「明るさ」、「シャープネス」、「色相」としている調整項目は、図１２（Ｂ）に示すように、プロジェクタリモコン２５でディスプレイ３０を操作したときのＯＳＤ画面でも、そのまま、「コントラスト」、「明るさ」、「シャープネス」、「色相」としている。また、図１３（Ａ）に示すように、ディスプレイリモコン３５でディスプレイ３０を操作したときのＯＳＤ画面では「コントラスト」、「明るさ」、「シャープネス」、「色相」としている調整項目は、図１３（Ｂ）に示すように、ディスプレイリモコン３５でプロジェクタ２０を操作したときのＯＳＤ画面でも、そのまま、「コントラスト」、「明るさ」、「シャープネス」、「色相」としている。
【００７５】
プロジェクタ２０のカラー（図６）は色の濃淡を示しており、ディスプレイ３０の色のこさ（図９）と、名称は異なるが同一の機能である。このことから、図１２（Ａ）に示すように、プロジェクタリモコン２５でプロジェクタ２０を操作したときのＯＳＤ画面で「カラー」としている調整項目は、図１２（Ｂ）に示すように、プロジェクタリモコン２５でディスプレイ３０を操作したときのＯＳＤ画面では、「色のこさ」としている。また、図１３（Ａ）に示すように、ディスプレイリモコン３５でディスプレイ３０を操作したときのＯＳＤ画面では、「色のこさ」としている調整項目は、図１３（Ｂ）に示すように、ディスプレイリモコン３５でプロジェクタ２０を操作したときのＯＳＤ画面では、「カラー」としている。
【００７６】
プロジェクタ２０の色温度（図６）とディスプレイ３０の色温度（図９）は、機能が同一である。このことから、図１２（Ａ）に示すように、プロジェクタリモコン２５でプロジェクタ２０を操作したときのＯＳＤ画面で「色温度」としている調整項目は、図１２（Ｂ）に示すように、プロジェクタリモコン２５でディスプレイ３０を操作したときのＯＳＤ画面でも、そのまま、「色温度」としている。また、図１３（Ａ）に示すように、ディスプレイリモコン３５でディスプレイ３０を操作したときのＯＳＤ画面では「色温度」としている調整項目は、図１３（Ｂ）に示すように、ディスプレイリモコン３５でプロジェクタ２０を操作したときのＯＳＤ画面でも、そのまま、「色温度」としている。
【００７７】
プロジェクタ２０の色補正（図６）とディスプレイ３０のカラーコントロール（図９）は、名称は異なるが、機能は同一であるが、ディスプレイ３０の方がＹ（黄の項目）が追加されている。このことから、図１２（Ａ）に示すように、プロジェクタリモコン２５でプロジェクタ２０を操作したときのＯＳＤ画面で「色補正」としている調整項目には、「Ｙ（黄の項目）」がない。図１２（Ｂ）に示すように、プロジェクタリモコン２５でディスプレイ３０を操作したときのＯＳＤ画面では、カラーコントロールに「Ｙ（黄の項目）」が追加されている。また、図１３（Ａ）に示すように、ディスプレイリモコン３５でディスプレイ３０を操作したときのＯＳＤ画面では、「色温度」の「Ｙ（黄の項目）」が調整可能となっているが、図１３（Ｂ）に示すように、ディスプレイリモコン３５でプロジェクタ２０を操作したときのＯＳＤ画面では、色補正の「Ｙ（黄の項目）」が非選択になっている。
【００７８】
プロジェクタ２０のガンマ補正（図６）と、ディスプレイ３０のガンマ補正（図９）は、同じメニューであるが選択項目が別になっている。すなわち、プロジェクタ２０では、ガンマ補正の選択項目は「ダイナミック」、「ナチュラル」、「ソフト」となっている。これに対して、ディスプレイ３０では、ガンマ補正の選択項目は「ＮＡＴＩＶＥ」、「２．２」、「２．４」、「Ｓ  ＧＡＭＭＡ」、「ＤＩＣＯＭ  ＳＩＭ」、「ＰＲＯＧＲＡＭＭＡＢＬＥ１，２，３」となっている。このことから、図１２（Ａ）に示すように、プロジェクタリモコン２５でプロジェクタ２０を操作したときのＯＳＤ画面では、ガンマ補正の選択項目が「ダイナミック」、「ナチュラル」、「ソフト」となっているが、図１２（Ｂ）に示すように、プロジェクタリモコン２５でディスプレイ３０を操作したときのＯＳＤ画面では、ガンマ補正の選択項目が「ＮＡＴＩＶＥ」、「２．２」、「２．４」、「Ｓ  ＧＡＭＭＡ」、「ＤＩＣＯＭ  ＳＩＭ」、「ＰＲＯＧＲＡＭＭＡＢＬＥ１，２，３」となる。また、図１３（Ａ）に示すように、ディスプレイリモコン３５でディスプレイ３０を操作したときのＯＳＤ画面では、ガンマ補正の選択項目は「ＮＡＴＩＶＥ」、「２．２」、「２．４」、「Ｓ  ＧＡＭＭＡ」、「ＤＩＣＯＭ  ＳＩＭ」、「ＰＲＯＧＲＡＭＭＡＢＬＥ１，２，３」となっているが、図１３（Ｂ）に示すように、ディスプレイリモコン３５でプロジェクタ２０を操作したときのＯＳＤ画面では、ガンマ補正の選択項目は、「ダイナミック」、「ナチュラル」、「ソフト」となる。
【００７９】
プロジェクタ２０のプリセットと参照（図６）は、映像調整の各デフォルト値を保存している。ディスプレイ３０のピクチャーモード（図９）も、名称は異なるが、これと同一の機能である。しかし、名称が似ているもののみ同一とみなしている。ここでは、「高輝度＝ＨＩＧＨＢＲＩＧＨＴ」、「ｓＲＧＢとムービー＝ｓＲＧＢ  ｏｒ  ＣＩＮＥＭＡ」としている。このことから、図１２（Ａ）に示すように、プロジェクタリモコン２５でプロジェクタ２０を操作したときのＯＳＤ画面では、プリセットと参照の選択項目は「高輝度モード」、「ｓＲＧＢ」となっているが、図１２（Ｂ）に示すように、プロジェクタリモコン２５でディスプレイ３０を操作したときのＯＳＤ画面では、プリセットと参照の選択項目は「ｓＲＧＢ  ｏｒ  ＣＩＮＥＭＡ」、「ＨＩＧＨＢＲＩＧＨＴ」となる。また、図１３（Ａ）に示すように、ディスプレイリモコン３５でディスプレイ３０を操作したときのＯＳＤ画面では、ピクチャーモードの選択項目は「ｓＲＧＢ  ｏｒ  ＣＩＮＥＭＡ」、「ＨＩＧＨＢＲＩＧＨＴ」となっているが、図１３（Ｂ）に示すように、ディスプレイリモコン３５でプロジェクタ２０を操作したときのＯＳＤ画面では、プリセットの選択項目は「高輝度モード」、「ｓＲＧＢ」となる。
【００８０】
このように、本実施形態では、プロジェクタ２０とディスプレイ３０とで、関連する名称、調整項目、及び選択項目等を維持して操作できるように、ディスプレイのコマンドとプロジェクタのコマンドとの対応関係を設定している。プロジェクタ２０のコマンド実行部２５２やディスプレイ３０のコマンド実行部３５２は、ディスプレイのコマンドとプロジェクタのコマンドとの対応関係に従ってコマンドの処理を実行することで、プロジェクタリモコン２５からのコマンド信号でもディスプレイリモコン３５からのコマンド信号でも処理が行える。また、図１２及び図１３に示したように、本実施形態では、プロジェクタリモコン２５を使うと、プロジェクタ２０を操作するときもディスプレイ３０を操作するときも、同様のＯＳＤ画面で操作が行え、また、ディスプレイリモコン３５を使うと、ディスプレイ３０を操作するときも、プロジェクタ２０を操作するときも同様のＯＳＤ画面で操作が行える。これにより、操作性の向上が図れる。
【００８１】
図１４は、本発明による電子機器の基本構成を示す概略ブロック図である。本発明による電子機器の基本構成は、図１４に示すとおりである。すなわち、本発明による電子機器１００は、受信部１０１、受信データ解析部１０２、コマンド実行部１０３を基本構成とする。受信部１０１は、リモートコントローラのコマンド信号を受信する。受信データ解析部１０２は、受信したコマンド信号が第１の機器を操作するための第１のフォーマットのコマンド信号か第２の機器を操作するための第２のフォーマットのコマンド信号かを判定する。コマンド実行部１０３は、受信したコマンド信号が第１のフォーマットのコマンド信号か第２のフォーマットのコマンド信号かに基づいてコードを解析し、解析したコードに応じた処理を実行する。
【００８２】
上述した実施形態における映像表示システム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００８３】
以上、この発明の実施形態について図面を参照して詳述してきたが、具体的な構成はこの実施形態に限られるものではなく、この発明の要旨を逸脱しない範囲の設計等も含まれる。
【符号の説明】
【００８４】
１：映像表示システム，１０：映像供給装置，２０：プロジェクタ，２５：プロジェクタリモコン，３０：ディスプレイ，３５：ディスプレイリモコン，１００：電子機器，１０１：受信部，１０２：受信データ解析部，１０３：コマンド実行部
【図１】
2019146046.tif 000003
【図２】
2019146046.tif 000004
【図３】
2019146046.tif 000005
【図４】
2019146046.tif 000006
【図５】
2019146046.tif 000007
【図６】
2019146046.tif 000008
【図７】
2019146046.tif 000009
【図８】
2019146046.tif 000010
【図９】
2019146046.tif 000011
【図１０】
2019146046.tif 000012
【図１１】
2019146046.tif 000013
【図１２】
2019146046.tif 000014
【図１３】
2019146046.tif 000015
【図１４】
2019146046.tif 000016